(57)【要約】【課題】光導波路部分のコアと基板部分の光学素子との調芯作業が不要となるとともに、調芯精度の向上およびコストの低減が可能となる光センサモジュールの製造方法およびそれによって得られた光センサモジュールを提供する。【解決手段】基板部分位置決め用の突起部４および基板部分嵌合用の溝部３ｂを有する光導波路部分Ｗ2 と、突起部４に位置決めされる位置決め板部５ａおよび溝部３ｂに嵌合する嵌合板部５ｂを有する基板部分Ｅ2 とを、個別に作製し、突起部４に位置決め板部５ａを位置決めし、溝部３ｂに嵌合板部５ａを嵌合し一体化する。ここで、突起部４は、コア２の一端面２ａに対して高精度な位置関係にある。また、位置決め板部５ａは、光学素子８に対して適正位置に適正形状で形成されている。このため、コアの一端面２ａと光学素子８とは、高精度に位置決めされ、自動的に調芯された状態になる。【選択図】図１
2011102955.tif 000002
【特許請求の範囲】
【請求項１】
光導波路部分と、光学素子が実装された基板部分とを結合させてなる光センサモジュールの製造方法であって、上記光導波路部分の作製工程が、アンダークラッド層の表面に，一個のフォトマスクを使用したフォトリソグラフィ法により，光路用の線状のコアを形成すると同時に，そのコアの端部に対して適正位置となる部分に，基板部分位置決め用の位置決め手段を形成する工程と、型成形法により，上記コアを被覆するオーバークラッド層の形成と同時に，そのオーバークラッド層の部分に，上記基板部分嵌合用の嵌合部を形成する工程とを備え、上記基板部分の作製工程が、基板上に光学素子実装用パッドを配設し，その基板の，光学素子実装用パッドに対する適正位置に，上記基板部分位置決め用の位置決め手段に位置決めされる被位置決め部を形成すると同時に，上記基板部分嵌合用の嵌合部に嵌合する被嵌合部を形成する工程と、上記光学素子実装用パッドに光学素子を実装する工程とを備え、上記光導波路部分と上記基板部分とを結合させ光センサモジュールにする工程が、上記光導波路部分の上記位置決め手段を利用して，上記基板部分の上記被位置決め部を位置決めするとともに，上記光導波路部分の上記嵌合部に，上記基板部分の上記被嵌合部を嵌合させる工程を備えていることを特徴とする光センサモジュールの製造方法。
【請求項２】
上記光導波路部分の上記位置決め手段を、平面視コ字状または平面視Ｌ字状の突起部に形成し、上記基板部分の上記被位置決め部を、上記突起部の内側面に当接する板部に形成する請求項１記載の光センサモジュールの製造方法。
【請求項３】
上記光導波路部分の上記嵌合部を、オーバークラッド層の厚み方向に沿う溝部に形成するとともに、そのオーバークラッド層の上面部分に対応する溝部の部分の幅を、オーバークラッド層の上面から下方にいくにつれて徐々に狭く形成し、上記基板部分の上記被嵌合部を、上記溝部に嵌合する板部に形成し、上記光導波路部分の上記位置決め手段を、平面視コ字状の突起部に形成するとともに、そのコ字状の開口部分の幅を、開口端から奥方にいくにつれて徐々に狭く形成し、上記基板部分の上記被位置決め部を、上記突起部の内側面に当接する板部に形成し、光導波路部分と基板部分との結合を、光導波路部分の上記溝部の上端から基板部分の上記被嵌合部を挿入した後、平面視コ字状の上記突起部の開口端から基板部分の上記被位置決め部を挿入し奥端に当接させることにより行う請求項１記載の光センサモジュールの製造方法。
【請求項４】
光導波路部分と、光学素子が実装された基板部分とを結合させてなる光センサモジュールであって、上記光導波路部分が、アンダークラッド層と、このアンダークラッド層の表面に形成された光路用の線状のコアと、このコアの端部に対して適正位置となる部分に形成された基板部分位置決め用の位置決め手段と、上記コアを被覆するオーバークラッド層と、このオーバークラッドの所定部分に形成された基板部分嵌合用の嵌合部とを備え、上記基板部分が、上記基板部分位置決め用の位置決め手段に位置決めされる被位置決め部および上記基板部分嵌合用の嵌合部に嵌合する被嵌合部を有する基板と、その基板上の所定部分に配設された光学素子実装用パッドと、この光学素子実装用パッドに実装された光学素子とを備え、上記光導波路部分と上記基板部分との結合が、上記光導波路部分の上記位置決め手段を利用した，上記基板部分の上記被位置決め部の位置決めと、上記光導波路部分の上記嵌合部への，上記基板部分の上記被嵌合部の嵌合とがなされて行われていることを特徴とする、請求項１の製造方法により得られた光センサモジュール。
【請求項５】
上記光導波路部分の上記位置決め手段が、平面視コ字状または平面視Ｌ字状の突起部に形成され、上記基板部分の上記被位置決め部が、上記突起部の内側面に当接する板部に形成されている請求項４記載の光センサモジュール。
【請求項６】
上記光導波路部分の上記嵌合部が、オーバークラッド層の厚み方向に沿う溝部に形成されているとともに、そのオーバークラッド層の上面部分に対応する溝部の部分の幅が、オーバークラッド層の上面から下方にいくにつれて徐々に狭く形成され、上記基板部分の上記被嵌合部が、上記溝部に嵌合する板部に形成され、上記光導波路部分の上記位置決め手段が、平面視コ字状の突起部に形成されているとともに、そのコ字状の開口部分の幅が、開口端から奥にいくにつれて徐々に狭く形成され、上記基板部分の上記被位置決め部が、上記突起部の内側面に当接する板部に形成されている請求項４記載の光センサモジュール。
【発明の詳細な説明】
【技術分野】
【０００１】
本発明は、光導波路部分と、光学素子が実装された基板部分とを備えた光センサモジュールの製造方法およびそれによって得られた光センサモジュールに関するものである。
【背景技術】
【０００２】
光センサモジュールは、図１１（ａ），（ｂ）に示すように、アンダークラッド層７１，コア７２およびオーバークラッド層７３をこの順に形成した光導波路部分Ｗ0 と、基板８１に光学素子８２が実装された基板部分Ｅ0 とを個別に作製し、上記光導波路部分Ｗ0 のコア７２と基板部分Ｅ0 の光学素子８２とを調芯した状態で、上記光導波路部分Ｗ0 の端部に上記基板部分Ｅ0 を接続して製造される。なお、図１１（ａ），（ｂ）において、符号７４は接着剤層、符号７５は基台、符号８３は絶縁層、符号８４は光学素子実装用パッド、符号８５は透明樹脂層である。
【０００３】
ここで、上記光導波路部分Ｗ0 のコア７２と基板部分Ｅ0 の光学素子８２との上記調芯は、通常、自動調芯機を用いて行われる（例えば、特許文献１参照）。この自動調芯機では、光導波路部分Ｗ0 を固定ステージ（図示せず）に固定し、基板部分Ｅ0 を移動可能なステージ（図示せず）に固定した状態で行われる。すなわち、上記光学素子８２が発光素子である場合、図１１（ａ）に示すように、その発光素子から光Ｈ1 を発光させた状態で、コア７２の一端面（光入口）７２ａに対して、発光素子の位置を変化させつつ、コア７２の他端面（光出口）７２ｂからオーバークラッド層７３の他端部のレンズ部７３ｂを経て出射した光の光量（自動調芯機に備えられている受光素子９１に生じる電圧）をモニタリングし、その光量が最大となった位置を、調芯位置（コア７２と光学素子８２とが相互に適正になる位置）として決定する。また、上記光学素子８２が受光素子である場合、図１１（ｂ）に示すように、コア７２の他端面７２ｂから一定量の光（自動調芯機に備えられている発光素子９２から発光され、オーバークラッド層７３の他端部のレンズ部７３ｂを透過した光）Ｈ2 を入光させ、その光Ｈ2 をコア７２の一端面７２ａからオーバークラッド層７３の一端部７３ａを経て出射させた状態で、コア７２の一端面７２ａに対して、受光素子の位置を変化させつつ、その受光素子で受光する光量（電圧）をモニタリングし、その光量が最大となった位置を、調芯位置として決定する。
【先行技術文献】
【特許文献】
【０００４】
【特許文献１】特開平５−１９６８３１号公報
【発明の概要】
【発明が解決しようとする課題】
【０００５】
しかしながら、上記自動調芯機を用いた調芯では、高精度な調芯が可能であるものの、手間と時間とを要し、量産には適さない。
【０００６】
そこで、本出願人は、上記のような機器と手間をかけることなく調芯できる光センサモジュールを提案し既に出願している（特願２００９−１８０７２３）。この光センサモジュールは、その平面図を図１２（ａ）に、そのＢ−Ｂ断面図を図１２（ｂ）に示すように、光導波路部分Ｗ1 において、型成形によりオーバークラッド層４３を形成する際に、コア４２を被覆しないオーバークラッド層４３の部分〔図１２（ａ）の右端部の上下の部分〕を軸方向に延長して形成する。その際、この延長部分４３ａにおいて、上記オーバークラッド層４３の型成形と同時に、コア４２の一端面４２ａに対して適正な位置に、基板部分嵌合用の溝部（嵌合部）４３ｂを形成する。一方、基板部分Ｅ1 において、上記溝部４３ｂに嵌合する嵌合板部（被嵌合部）５１ａを、光学素子５４に対して適正な位置に形成する。そして、上記光導波路部分Ｗ1 の溝部４３ｂと上記基板部分Ｅ1 の嵌合板部５１ａとの嵌合により、光導波路部分Ｗ1 と上記基板部分Ｅ1 とを結合させ、自動的に調芯された光センサモジュールを得ることができる。なお、図１２（ａ），（ｂ）において、符号４１はアンダークラッド層、符号４４は接着剤層、符号４５は基台、符号４５ａは貫通孔、符号５１は上記嵌合板部５１ａが形成された整形基板、符号５２は絶縁層、符号５３は光学素子実装用パッド、符号５４は光学素子、符号５５は透明樹脂層である。
【０００７】
このように、本出願人が既に出願している上記方法では、光導波路部分Ｗ1 のコア４２と、基板部分Ｅ1 の光学素子５４とを、調芯作業することなく、自動的に調芯した状態にすることができる。そして、時間を要する調芯作業が不要となるため、光センサモジュールの量産が可能となり、生産性に優れる。しかしながら、上記方法では、調芯精度およびコストの点で改善の余地があった。すなわち、上記方法では、調芯精度が±１００μｍとやや粗く、発光素子（光学素子５４）からの光をコア４２の一端面（光入口）４２ａに適正に入射するために、比較的高出力の発光素子が使用されていた。そのため、発光素子のコストが高くなっていた。また、調芯精度を、型成形により形成したオーバークラッド４３の溝部４３ｂで実現しているため、その型成形に用いる成形型の作製に、高水準の加工精度（±１５μｍ）が必要があった。そのため、成形型のコストが高くなっていた。
【０００８】
本発明は、このような事情に鑑みなされたもので、光導波路部分のコアと基板部分の光学素子との調芯作業が不要となるとともに、調芯精度の向上およびコストの低減が可能となる光センサモジュールの製造方法およびそれによって得られた光センサモジュールの提供をその目的とする。
【課題を解決するための手段】
【０００９】
上記の目的を達成するため、本発明は、光導波路部分と、光学素子が実装された基板部分とを結合させてなる光センサモジュールの製造方法であって、上記光導波路部分の作製工程が、アンダークラッド層の表面に，一個のフォトマスクを使用したフォトリソグラフィ法により，光路用の線状のコアを形成すると同時に，そのコアの端部に対して適正位置となる部分に，基板部分位置決め用の位置決め手段を形成する工程と、型成形法により，上記コアを被覆するオーバークラッド層の形成と同時に，そのオーバークラッド層の部分に，上記基板部分嵌合用の嵌合部を形成する工程とを備え、上記基板部分の作製工程が、基板上に光学素子実装用パッドを配設し，その基板の，光学素子実装用パッドに対する適正位置に，上記基板部分位置決め用の位置決め手段に位置決めされる被位置決め部を形成すると同時に，上記基板部分嵌合用の嵌合部に嵌合する被嵌合部を形成する工程と、上記光学素子実装用パッドに光学素子を実装する工程とを備え、上記光導波路部分と上記基板部分とを結合させ光センサモジュールにする工程が、上記光導波路部分の上記位置決め手段を利用して，上記基板部分の上記被位置決め部を位置決めするとともに，上記光導波路部分の上記嵌合部に，上記基板部分の上記被嵌合部を嵌合させる工程を備えている光センサモジュールの製造方法を第１の要旨とする。
【００１０】
また、本発明は、光導波路部分と、光学素子が実装された基板部分とを結合させてなる光センサモジュールであって、上記光導波路部分が、アンダークラッド層と、このアンダークラッド層の表面に形成された光路用の線状のコアと、このコアの端部に対して適正位置となる部分に形成された基板部分位置決め用の位置決め手段と、上記コアを被覆するオーバークラッド層と、このオーバークラッドの所定部分に形成された基板部分嵌合用の嵌合部とを備え、上記基板部分が、上記基板部分位置決め用の位置決め手段に位置決めされる被位置決め部および上記基板部分嵌合用の嵌合部に嵌合する被嵌合部を有する基板と、その基板上の所定部分に配設された光学素子実装用パッドと、この光学素子実装用パッドに実装された光学素子とを備え、上記光導波路部分と上記基板部分との結合が、上記光導波路部分の上記位置決め手段を利用した，上記基板部分の上記被位置決め部の位置決めと、上記光導波路部分の上記嵌合部への，上記基板部分の上記被嵌合部の嵌合とがなされて行われている、上記製造方法により得られた光センサモジュールを第２の要旨とする。
【発明の効果】
【００１１】
本発明の光センサモジュールの製造方法は、光導波路部分を作製する工程において、アンダークラッド層の表面に、一個のフォトマスクを使用したフォトリソグラフィ法により、コアと同時に、基板部分位置決め用の位置決め手段を形成する。このため、そのコアの端部と基板部分位置決め用の位置決め手段との位置関係が高精度になっている。その後、オーバークラッド層を型成形法により形成する際に、そのオーバークラッド層の部分に、基板部分嵌合用の嵌合部を形成する。基板部分の位置決めは、上記位置決め手段を利用して行われ、上記嵌合部は、上記基板部分を保持するためのものである。このため、上記嵌合部をオーバークラッド層の部分に形成する際に用いる成形型の作製に、高水準の加工精度は不要であり、その分、成形型のコストを低減することができる。一方、基板部分を作製する工程では、光学素子実装用パッドに対して適正位置に、上記基板部分位置決め用の位置決め手段に位置決めされる被位置決め部を形成する同時に、上記基板部分嵌合用の嵌合部に嵌合する被嵌合部を形成する。このため、上記光学素子実装用パッドに実装された光学素子と被位置決め部とが適正な位置関係になっている。そして、上記光導波路部分と上記基板部分とを結合させ光センサモジュールにする工程では、光導波路部分の位置決め手段を利用して、基板部分の被位置決め部を位置決めするとともに、光導波路部分の嵌合部に、基板部分の被嵌合部を嵌合させ、光導波路部分と基板部分とを一体化する。すなわち、この工程では、コアの端部に対して高精度な位置関係にある位置決め手段を利用して、光学素子に対して適正な位置関係にある被位置決め部を位置決めし、その位置決めされた状態を維持するために、光導波路部分の嵌合部に、基板部分の被嵌合部を嵌合させている。このため、製造された光センサモジュールは、コアの端部と光学素子との位置関係が高精度になり、コアの端部と光学素子との間で光伝播が適正に行われるようになる。その結果、光学素子を必ずしも高出力のものとしなくてもよく、その分、光学素子のコストを低減することができる。したがって、本発明の光センサモジュールの製造方法によれば、光導波路部分のコアと、基板部分の光学素子とを、調芯作業することなく、自動的に高精度に調芯した状態にすることができるとともに、コストを低減することができる。そして、時間を要する調芯作業が不要となるため、光センサモジュールの量産が可能となる。
【００１２】
特に、上記光導波路部分の上記位置決め手段を、平面視コ字状または平面視Ｌ字状の突起部に形成し、上記基板部分の上記被位置決め部を、上記突起部の内側面に当接する板部に形成する場合には、突起部（位置決め手段）と板部（被位置決め部）との位置決めが簡単であるため、より生産性に優れる。
【００１３】
また、上記光導波路部分の上記嵌合部を、オーバークラッド層の厚み方向に沿う溝部に形成するとともに、そのオーバークラッド層の上面部分に対応する溝部の部分の幅を、オーバークラッド層の上面から下方にいくにつれて徐々に狭く形成し、上記基板部分の上記被嵌合部を、上記溝部に嵌合する板部に形成し、上記光導波路部分の上記位置決め手段を、平面視コ字状の突起部に形成するとともに、そのコ字状の開口部分の幅を、開口端から奥方にいくにつれて徐々に狭く形成し、上記基板部分の上記被位置決め部を、上記突起部の内側面に当接する板部に形成し、光導波路部分と基板部分との結合を、光導波路部分の上記溝部の上端から基板部分の上記被嵌合部を挿入した後、平面視コ字状の上記突起部の開口端から基板部分の上記被位置決め部を挿入し奥端に当接させることにより行う場合には、溝部（嵌合部）と板部（被嵌合部）との位置決め、および突起部（位置決め手段）と板部（被位置決め部）との位置決めがより簡単であるため、生産性がさらに向上する。
【００１４】
そして、本発明の光センサモジュールは、上記製造方法により得られたものであるため、光導波路部分のコアの端部と、基板部分の光学素子との位置決めは、光導波路部分の位置決め手段を利用した、基板部分の被位置決め部の位置決めにより行われている。そして、その位置決め状態の維持を、光導波路部分の嵌合部と、基板部分の被嵌合部との嵌合により行われている。このため、本発明の光センサモジュールに衝撃や振動等が加わっても、上記コアの端部と光学素子との位置関係は、ずれることがなく、高精度な調芯状態を維持することができる。
【００１５】
特に、上記光導波路部分の上記位置決め手段が、平面視コ字状または平面視Ｌ字状の突起部に形成され、上記基板部分の上記被位置決め部が、上記突起部の内側面に当接する板部に形成されている場合には、簡単な位置決め構造で、高精度な調芯状態の光センサモジュールになっている。
【００１６】
また、上記光導波路部分の上記嵌合部が、オーバークラッド層の厚み方向に沿う溝部に形成されているとともに、そのオーバークラッド層の上面部分に対応する溝部の部分の幅が、オーバークラッド層の上面から下方にいくにつれて徐々に狭く形成され、上記基板部分の上記被嵌合部が、上記溝部に嵌合する板部に形成され、上記光導波路部分の上記位置決め手段が、平面視コ字状の突起部に形成されているとともに、そのコ字状の開口部分の幅が、開口端から奥にいくにつれて徐々に狭く形成され、上記基板部分の上記被位置決め部が、上記突起部の内側面に当接する板部に形成されている場合にも、簡単な位置決め構造で、高精度な調芯状態の光センサモジュールになっている。
【図面の簡単な説明】
【００１７】
【図１】本発明の光センサモジュールの一実施の形態の一端部を模式的に示す斜視図である。
【図２】（ａ）は、上記光センサモジュールを模式的に示す平面図であり、（ｂ）は、その（ａ）のＡ−Ａ断面図である。
【図３】上記光センサモジュールの光導波路部分の一端部を模式的に示す斜視図である。
【図４】上記光センサモジュールの基板部分を模式的に示す斜視図である。
【図５】（ａ）〜（ｃ）は、上記光導波路部分おけるアンダークラッド層，コアおよび基板部分位置決め用の突起部の形成工程を模式的に示す説明図である。
【図６】（ａ）は、上記光導波路部分おけるオーバークラッド層の形成に用いられる成形型を模式的に示す斜視図であり、（ｂ）〜（ｄ）は、そのオーバークラッド層の形成工程を模式的に示す説明図である。
【図７】（ａ）〜（ｄ）は、上記基板部分の作製工程を模式的に示す説明図である。
【図８】本発明の光センサモジュールの他の実施の形態の一端部を模式的に示す斜視図である。
【図９】上記光センサモジュールを用いたタッチパネル用検知手段を模式的に示す平面図である。
【図１０】（ａ）は、実施例２の溝部を模式的に示す平面図であり、（ｂ）は、そのＣ−Ｃ断面図であり、（ｃ）は、実施例２の突起部を模式的に示す平面図である。
【図１１】（ａ），（ｂ）は、従来の光センサモジュールにおける調芯方法を模式的に示す説明図である。
【図１２】（ａ）は、本出願人の先願発明の光センサモジュールを模式的に示す平面図であり、（ｂ）は、（ａ）のＢ−Ｂ断面図である。
【発明を実施するための形態】
【００１８】
つぎに、本発明の実施の形態を図面にもとづいて詳しく説明する。
【００１９】
図１は、本発明の光センサモジュールの一実施の形態の一端部〔図２（ａ），（ｂ）の右端部〕を模式的に示す斜視図であり、図２（ａ）は、上記光センサモジュールを模式的に示す平面図であり、図２（ｂ）は、そのＡ−Ａ断面図である。この光センサモジュールは、光導波路部分Ｗ2 と基板部分Ｅ2 とを個別に作製し、それらを一体化したものである。すなわち、光導波路部分Ｗ2 には、基板部分位置決め用の一対の平面視コ字状の突起部（位置決め手段）４が形成されているとともに、基板部分嵌合用の一対の溝部（嵌合部）３ｂが形成されている。一方、基板部分Ｅ2 には、上記光導波路部分Ｗ2 の平面視コ字状の突起部４のスリット部分（コ字状の内側部分）４ａに位置決めされる位置決め板部（被位置決め部）５ａが形成されているとともに、上記光導波路部分Ｗ2 の溝部３ｂに嵌合する嵌合板部（被嵌合部）５ｂが形成されている。そして、光導波路部分Ｗ2 の平面視コ字状の突起部４のスリット部分４ａに、基板部分Ｅ2 の位置決め板部５ａが位置決めされているともに、光導波路部分Ｗ2 の溝部３ｂに、基板部分Ｅ2 の嵌合板部５ｂが嵌合されている状態で、光導波路部分Ｗ2 と基板部分Ｅ2 とが一体化され、光センサモジュールが構成されている。
【００２０】
ここで、光導波路部分Ｗ2 において、上記基板部分位置決め用の突起部４は、一個のフォトマスクを使用したフォトリソグラフィ法により、コア２と同時に形成され、コア２の一端面２ａに対して高精度に設定された位置に、適正形状に形成されている。また、基板部分Ｅ2 には、光学素子８が実装されており、その光学素子８に対して適正位置に、上記位置決め板部５ａが適正形状に形成されている。このため、光導波路部分Ｗ2 の突起部４と基板部分Ｅ2 の位置決め板部５ａとの位置決めにより、コア２の一端面２ａと光学素子８とは、高精度に位置決めされ、高精度に調芯された状態になっている。また、光導波路部分Ｗ2 の溝部３ｂと基板部分Ｅ2 の嵌合板部５ｂとの嵌合により、上記高精度な調芯状態を維持している。
【００２１】
なお、上記光導波路部分Ｗ2 は、ステンレス等からなるシート材１０上に形成されている。また、図１および図２（ａ），（ｂ）では、光導波路部分Ｗ2 の平面視コ字状の突起部４と基板部分Ｅ2 の位置決めされる位置決め板部５ａとの間に隙間１１を形成した状態で図示し、光導波路部分Ｗ2 の溝部３ｂと基板部分Ｅ2 の嵌合板部５ｂとの間に隙間１２を形成した状態で図示しているが、これは図面による理解を容易にするためであり、実際は、これら隙間１１，１２は殆どない。また、図１および図２（ａ），（ｂ）において、符号１はアンダークラッド層、符号３はオーバークラッド層、符号３ａは延長部分、符号３ｃはレンズ部、符号５は整形基板、符号６は絶縁層、符号７は光学素子実装用パッド、符号９は透明樹脂層、符号２０は貫通孔である。
【００２２】
より詳しく説明すると、上記光導波路部分Ｗ2 は、図３にその一端部の斜視図を示すように、アンダークラッド層１と、このアンダークラッド層１の表面に所定パターンの線状に形成された光路用のコア２および一対の平面視コ字状の突起部４と、上記コア２を被覆した状態で上記アンダークラッド層１の表面に形成されたオーバークラッド層３とを備えている。上記一対の平面視コ字状の突起部４は、コア２の一端面２ａから少し離れた位置に、そのコ字状の開口側を向かい合わせた状態で形成されている。その向かい合う方向（図３では左右方向）は、コア２の軸方向と直角になっている。また、光導波路部分Ｗ2 の一端部側（図３では下側）では、図３における左右の部分が軸方向（図３では左斜め下方向）に延長されている。すなわち、この延長部分３ａは、コア２の存在しないオーバークラッド層３の部分の延長部分３ａである。そして、その延長部分３ａに、基板部分嵌合用の一対の溝部３ｂが、その開口側を向かい合わせた状態で形成されている。この溝部３ｂは、オーバークラッド層３を厚み方向に貫通した、いわば切欠部状に形成されている。なお、この実施の形態では、図２（ｂ）に示すように、オーバークラッド層３の他端部〔図２（ｂ）では左端部〕は、表面が外側に向かって反る略１／４円弧状のレンズ部３ｃに形成されている。
【００２３】
一方、上記基板部分Ｅ2 は、図４にその斜視図を示すように、整形基板５と、絶縁層６と、光学素子実装用パッド７と、光学素子８と、透明樹脂層９とを備えている。上記整形基板５には、上記一対の突起部４に位置決めするための位置決め板部５ａが左右両側に突出した状態で形成されているとともに、上記溝部３ｂに嵌合するための嵌合板部５ｂが左右両側に突出した状態で形成されている。上記絶縁層６は、上記整形基板５のうち位置決め板部５ａおよび嵌合板部５ｂを除く表面に形成されている。上記光学素子実装用パッド７は、上記絶縁層６の表面中央部に形成されている。上記光学素子８は、光学素子実装用パッド７に実装されている。上記透明樹脂層９は、上記光学素子８を封止した状態で形成されている。上記整形基板５において左右に突出している長方形状の位置決め板部５ａおよび嵌合板部５ｂは、エッチングにより形成され、上記光学素子実装用パッド７に対して、適正に位置決めされ整形されている。また、上記光学素子８の発光部または受光部は、その光学素子８の表面に形成されている。なお、上記絶縁層６の表面には、光学素子実装用パッド７に接続する電気回路（図示せず）が形成されている。
【００２４】
そして、上記光センサモジュールは、図１および図２（ａ），（ｂ）に示すように、上記光導波路部分Ｗ2 の一対の平面視コ字状の突起部４の内側面に、上記基板部分Ｅ2 の位置決め板部５ａを当接させて位置決めするとともに、上記光導波路部分Ｗ2 の一対の溝部３ｂに、上記基板部分Ｅ2 の嵌合板部５ｂを嵌合して一体化している。この一体化状態では、上記光学素子８の表面（発光部または受光部）は、コア２の一端面２ａに高精度に対向しているため、光学素子８の出力が低くても、光の送受信が高精度に可能な状態となっている。また、上記一対の平面視コ字状の突起部４に上記位置決め板部５ａが位置決めされていることにより、上記光学素子８は、アンダークラッド層１に対して、図２（ａ）における上下方向（Ｘ軸方向）が適正に位置決めされている。また、上記一体化状態では、図１に示すように、左右に突出した上記位置決め板部５ａの下端縁がアンダークラッド層１の表面に当接しており、それにより、上記光学素子８は、アンダークラッド層１の表面に直角な方向（Ｚ軸方向）が適正に位置決めされている。すなわち、コアの一端面２ａと光学素子８とは、上記一体化により、同図に示すように、位置関係が高精度になっており、自動的に高精度に調芯された状態になっている。
【００２５】
なお、この実施の形態では、図１および図２（ａ），（ｂ）に示すように、シート材１０とアンダークラッド層１との積層体の、上記基板部分Ｅ2 に対応する部分に、四角形の貫通孔２０が形成されている。そして、図２（ｂ）に示すように、その貫通孔２０を通して、基板部分Ｅ2 の一部分が上記シート材１０の裏面から突出している。その基板部分Ｅ2 の突出部分は、シート材１０の裏面側において、例えば、光学素子に信号の送信等するためのマザーボード（図示せず）等に接続される。
【００２６】
上記光センサモジュールでは、光Ｈは、つぎのように伝播するようになっている。すなわち、例えば、上記光学素子８が発光素子である場合は、図２（ｂ）に示すように、その光学素子８の発光部から発光された光Ｈは、透明樹脂層９を経て、オーバークラッド層３を通り抜けた後、コア２の一端面２ａからコア２内に入射する。ついで、その光Ｈは、コア２内を軸方向に進む。そして、その光Ｈは、コア２の他端面２ｂから出射し、その後、オーバークラッド層３の他端部のレンズ部３ｃのレンズ面から、そのレンズ部３ｃの屈折作用により、光Ｈの発散が抑制された状態で出射する。
【００２７】
一方、上記光学素子８が受光素子である場合は、図示しないが、光は、上記とは逆の方向に進む。すなわち、光は、オーバークラッド層３の他端部のレンズ部３ｃのレンズ面から入射し、そのレンズ部３ｃの屈折作用により、絞って集束された状態で、上記コア２の他端面２ｂからコア２内に入射する。ついで、その光は、コア２内を軸方向に進み、オーバークラッド層３を通り抜けて出射された後、透明樹脂層９を経て、上記光学素子８の受光部で受光される。
【００２８】
上記光センサモジュールは、下記の（１）〜（３）の工程を経て製造される。
（１）上記光導波路部分Ｗ2 を作製する工程〔図５（ａ）〜（ｃ），図６（ａ）〜（ｄ）参照〕。
（２）上記基板部分Ｅ2 を作製する工程〔図７（ａ）〜（ｄ）参照〕。
（３）上記基板部分Ｅ2 を上記光導波路部分Ｗ2 に結合する工程。
【００２９】
上記（１）の光導波路部分Ｗ2 の作製工程について説明する。まず、アンダークラッド層１を形成する際に用いる平板状のシート材１０〔図５（ａ）参照〕を準備する。このシート材１０の形成材料としては、例えば、金属，樹脂等があげられる。なかでも、ステンレスが好ましい。ステンレス製のシート材１０は、熱に対する伸縮耐性に優れ、上記光導波路装置の製造過程において、様々な寸法が設計値に略維持されるからである。また、シート材１０の厚みは、例えば、１０μｍ〜１００μｍの範囲内に設定され、経済性の観点から２０〜７０μｍの範囲内が好ましい。
【００３０】
ついで、図５（ａ）に示すように、上記シート材１０の表面に、アンダークラッド層形成用の感光性エポキシ樹脂等の感光性樹脂が溶媒に溶解しているワニスを塗布した後、必要に応じて、それを加熱処理（５０〜１２０℃×１０〜３０分間程度）して乾燥させ、アンダークラッド層１形成用の感光性樹脂層１Ａを形成する。そして、その感光性樹脂層１Ａを、紫外線等の照射線により露光することにより、アンダークラッド層１に形成する。アンダークラッド層１の厚みは、通常、５〜１００μｍの範囲内に設定される。
【００３１】
つぎに、図５（ｂ）に示すように、上記アンダークラッド層１の表面に、上記アンダークラッド層形成用の感光性樹脂層１Ａの形成方法と同様にして、コアおよび平面視コ字状の突起部形成用の感光性樹脂層２Ａを形成する。そして、コア２および平面視コ字状の突起部４のパターンに対応する開口パターンが高精度に設定された位置に形成されているフォトマスクを介して、上記感光性樹脂層２Ａを照射線により露光する。つぎに、加熱処理を行った後、現像液を用いて現像を行うことにより、図５（ｃ）に示すように、上記感光性樹脂層２Ａにおける未露光部分を溶解させて除去し、残存した感光性樹脂層２Ａをコア２および平面視コ字状の突起部４のパターンに形成する。この平面視コ字状の突起部４は、上記のように、一個のフォトマスクを使用したフォトリソグラフィ法により、コアと同時に形成したため、コア２の一端面２ａに対して高精度に設定された位置に、適正形状に形成されている。このように、光導波路部分Ｗ2 において、コア２の一端面２ａに対して高精度に設定された位置に、基板部分位置決め用の一対の平面視コ字状の突起部（位置決め手段）４を適正形状に形成することが、本発明の大きな特徴の一つである。
【００３２】
上記コア２および平面視コ字状の突起部４の厚み（高さ）は、通常、５〜１００μｍの範囲内に設定され、フォトリソグラフィ工程における材料の解像性能を考慮すると、５〜６０μｍの範囲内が好ましい。コア２の幅は、通常、５〜６０μｍの範囲内に設定される。平面視コ字状の突起部４のスリット部分４ａのスリット幅は、そのスリット部分４ａに位置決めされる、基板部分Ｅ2 の位置決め板部５ａの厚みよりも僅かに大きい値に設定され、通常、２０〜２００μｍの範囲内に設定される。また、平面視コ字状を形成する線幅は、通常、１０〜２０００μｍの範囲内に設定される。さらに、一対の突起部４の位置は、コア２の一端面２ａから均等に配置される。そして、一対の突起部４を結ぶ線とコア２の一端面２ａとの距離は、光学素子の大きさ等にもよるが、通常、０．３〜１．５ｍｍの範囲内に設定される。また、一対の突起部４間の距離は、通常、３〜２０ｍｍの範囲内に設定される。
【００３３】
なお、上記コア２および平面視コ字状の突起部４の形成材料としては、例えば、上記アンダークラッド層１と同様の感光性樹脂があげられ、上記アンダークラッド層１およびオーバークラッド層３〔図６（ｂ）参照〕の形成材料よりも屈折率が大きい材料が用いられる。この屈折率の調整は、例えば、上記アンダークラッド層１，コア２，オーバークラッド層３の各形成材料の種類の選択や組成比率を調整して行うことができる。
【００３４】
つぎに、成形型３０〔図６（ａ）参照〕を準備する。この成形型３０は、オーバークラッド層３〔図６（ｃ）参照〕と、基板部分嵌合用の溝部３ｂ〔図６（ｃ）参照〕を有するオーバークラッド層３の延長部分３ａとを同時に型成形するためのものである。この成形型３０の下面には、図６（ａ）に、下から見上げた斜視図を示すように、上記オーバークラッド層３の形状に対応する型面を有する第１の凹部３１と、上記平面視コ字状の突起部４を挿入する第２の凹部３２とが形成されている。上記第１の凹部３１は、上記延長部分３ａを形成するための部分３１ａと、レンズ部３ｃ〔図６（ｃ）参照〕を形成するための部分３１ｂとを有している。そして、上記延長部分形成用の部分３１ａには、上記基板部分嵌合用の溝部３ｂのうちのオーバークラッド層３に対応する部分を成形するための突条３３が形成されている。また、上記成形型３０の上面には、その使用の際にコア２の一端面２ａ〔図６（ｂ）では右端面〕に位置合わせして成形型３０を適正に位置決めするためのアライメントマーク（図示せず）が形成されており、このアライメントマークを基準とする適正な位置に、上記第１の凹部３１および突条３３が形成されている。
【００３５】
このため、上記成形型３０のアライメントマークをコア２の一端面２ａに位置合わせして上記成形型３０をセットし、その状態で成形すると、コア２の一端面２ａを基準として適正な位置に、オーバークラッド層３と、基板部分嵌合用の溝部３ｂとを同時に型成形することができるようになっている。また、上記成形型３０のセットは、その成形型３０の下面をアンダークラッド層１の表面に密着させることにより行われ、それにより、上記第１の凹部３１の型面とアンダークラッド層１の表面とコア２の表面で囲まれる空間が成形空間３４〔図６（ｂ）参照〕になるようになっている。さらに、上記成形型３０には、オーバークラッド層形成用の樹脂を上記成形空間３４に注入するための注入孔（図示せず）が、上記第１の凹部３１に連通した状態で形成されている。
【００３６】
なお、上記オーバークラッド層形成用の樹脂としては、例えば、上記アンダークラッド層１と同様の感光性樹脂があげられる。その場合は、上記成形型３０としては、その成形型３０を通して、上記成形空間３４に満たされた感光性樹脂を、紫外線等の照射線により露光する必要があるため、照射線を透過する材料からなるもの（例えば石英製のもの）が用いられる。なお、オーバークラッド層形成用の樹脂として熱硬化性樹脂を用いてもよく、その場合は、上記成形型３０としては、透明性は問われず、例えば、金属製，石英製のものが用いられる。
【００３７】
ついで、上記成形型３０を、図６（ｂ）に示すように、その成形型３０のアライメントマークを上記コア２の一端面２ａに位置合わせし成形型３０全体を適正に位置決めした状態で、その成形型３０の下面をアンダークラッド層１の表面に密着させる。この状態では、成形型３０の第２の凹部３２内に上記平面視コ字状の突起部４が挿入されている。そして、上記第１の凹部３１および突条３３の型面とアンダークラッド層１の表面とコア２の表面で囲まれた成形空間３４に、オーバークラッド層形成用の樹脂を、上記成形型３０に形成された注入孔から注入し、上記成形空間３４を上記樹脂で満たす。つぎに、その樹脂が感光性樹脂の場合は、上記成形型３０を通して紫外線等の照射線を露光した後に加熱処理を行い、上記樹脂が熱硬化性樹脂の場合は、加熱処理を行う。これにより、上記オーバークラッド層形成用の樹脂が硬化し、オーバークラッド層３と同時に、基板部分嵌合用の溝部３ｂ（オーバークラッド層３の延長部分３ａ）が形成される。このとき、アンダークラッド層１とオーバークラッド層３とが同じ形成材料の場合は、アンダークラッド層１とオーバークラッド層３とは、その接触部分で同化する。ついで、脱型し、図６（ｃ）に示すように、オーバークラッド層３と、基板部分嵌合用の一対の溝部３ｂとを得る。
【００３８】
上記基板部分嵌合用の溝部３ｂは、先に述べたように、上記成形型３０を用いコア２の一端面２ａを基準として形成したため、コア２の一端面２ａに対して適正な位置に位置決めされている。また、上記オーバークラッド層３のレンズ部３ｃも、適正な位置に位置決めされている。このように、光導波路部分Ｗ2 において、コア２の一端面２ａに対して適正な位置に正確に、基板部分嵌合用の溝部（嵌合部）３ｂを形成することが、本発明の大きな特徴の一つである。ただし、基板部分Ｅ2 の位置決めは、先に述べたように、上記平面視コ字状の突起部４を利用して行われ、上記嵌合部３ｂは、上記基板部分Ｅ2 を保持するためのものである。このため、上記成形型３０の作製に、高水準の加工精度は不要であり、その分、成形型３０のコストを低減することができる。
【００３９】
上記オーバークラッド層３の厚み（アンダークラッド層１の表面からの厚み）は、通常、０．５〜３ｍｍの範囲内に設定される。また、上記基板部分嵌合用の溝部３ｂの大きさは、それに嵌合する基板部分Ｅ2 の嵌合板部５ｂの大きさに対応して形成され、例えば、溝の奥行き長さ〔図２（ａ）のＸ軸方向の長さ〕が１．０〜５．０ｍｍの範囲内、溝の幅が０．２〜２．０ｍｍの範囲内に設定される。
【００４０】
その後、図６（ｄ）に示すように、上記基板部分位置決め用の一対の平面視コ字状の突起部４の間の、シート材１０とアンダークラッド層１との積層部分に、基板部分Ｅ2 を挿通させるための貫通孔２０をパンチャー等で形成する。このようにして、シート材１０の表面に、アンダークラッド層１，コア２，オーバークラッド層３を備え、基板部分位置決め用の一対の平面視コ字状の突起部４および基板部分嵌合用の一対の溝部３ｂが形成された光導波路部分Ｗ2 を得、上記（１）の光導波路部分Ｗ2 の作製工程が完了する。
【００４１】
つぎに、上記（２）の基板部分Ｅ2 の作製工程について説明する。まず、上記整形基板５の基材となる基板５Ａ〔図７（ａ）参照〕を準備する。この基板５Ａの形成材料としては、例えば、金属，樹脂等があげられる。なかでも、加工容易性および寸法安定性の観点から、ステンレス製の基板５Ａが好ましい。また、上記基板５Ａの厚みは、例えば、０．０２〜０．１ｍｍの範囲内に設定される。
【００４２】
ついで、図７（ａ）に示すように、上記基板５Ａの表面の所定領域に、感光性ポリイミド樹脂等の、絶縁層形成用の感光性樹脂が溶媒に溶解しているワニスを塗布した後、必要に応じて、それを加熱処理して乾燥させ、絶縁層形成用の感光性樹脂層を形成する。そして、その感光性樹脂層を、フォトマスクを介して紫外線等の照射線により露光することにより、所定形状の絶縁層６に形成する。絶縁層６の厚みは、通常、５〜１５μｍの範囲内に設定される。
【００４３】
つぎに、図７（ｂ）に示すように、上記絶縁層６の表面に、光学素子実装用パッド７およびそれに接続する電気回路（図示せず）を形成する。この実装用パッド（電気回路を含む）７の形成は、例えば、つぎのようにして行われる。すなわち、まず、上記絶縁層６の表面に、スパッタリングまたは無電解めっき等により金属層（厚み６０〜２６０ｎｍ程度）を形成する。この金属層は、後の電解めっきを行う際のシード層（電解めっき層形成の素地となる層）となる。ついで、上記基板５Ａ，絶縁層６およびシード層からなる積層体の両面に、ドライフィルムレジストを貼着した後、上記シード層が形成されている側のドライフィルムレジストに、フォトリソグラフィ法により上記実装用パッド７のパターンの孔部を同時に形成し、その孔部の底に上記シード層の表面部分を露呈させる。つぎに、電解めっきにより、上記孔部の底に露呈した上記シード層の表面部分に、電解めっき層（厚み５〜２０μｍ程度）を積層形成する。そして、上記ドライフィルムレジストを水酸化ナトリウム水溶液等により剥離する。その後、上記電解めっき層が形成されていないシード層部分をソフトエッチングにより除去し、残存した電解めっき層とその下のシード層とからなる積層部分を実装用パッド（電気回路を含む）７に形成する。
【００４４】
ついで、図７（ｃ）に示すように、上記基板５Ａを、実装用パッド７に対して適正な位置に位置決め板部５ａおよび嵌合板部５ｂを有する整形基板５に形成する。この整形基板５の形成は、例えば、つぎのようにして行われる。すなわち、まず、上記基板５Ａの裏面を、ドライフィルムレジストで覆う。そして、実装用パッド７に対して適正な位置に位置決め板部５ａおよび嵌合板部５ｂが形成されるよう、フォトリソグラフィ法により、目的とする形状のドライフィルムレジストの部分を残す。そして、その残ったドライフィルムレジストの部分以外の露呈している基板５Ａ部分を、塩化第２鉄水溶液を用いてエッチングすることにより除去する。これにより、上記基板５Ａが、位置決め板部５ａおよび嵌合板部５ｂを有する整形基板５に形成される。つぎに、上記ドライフィルムレジストを水酸化ナトリウム水溶液等により剥離する。なお、上記位置決め板部５ａの大きさは、例えば、縦の長さＬ1 が０．１〜１．０ｍｍの範囲内、横の長さＬ2 が１．０〜５．０ｍｍの範囲内に設定される。また、嵌合板部５ｂの大きさは、例えば、縦の長さＬ3 が０．５〜２．０ｍｍの範囲内、横の長さＬ4 が１．０〜５．０ｍｍの範囲内に設定される。このように、基板部分Ｅ2 において、実装用パッド７に対して適正な位置に正確に、位置決め板部（被位置決め部）５ａおよび嵌合板部（被嵌合部）５ｂを形成することが、本発明の大きな特徴の一つである。
【００４５】
そして、図７（ｄ）に示すように、実装用パッド７に、光学素子８を実装した後、上記光学素子８およびその周辺部を、透明樹脂によりポッティング封止する。上記光学素子８の実装は、実装機を用いて行われ、その実装機に備わっている位置決めカメラ等の位置決め装置により、実装用パッド７に正確に位置決めされて行われる。これにより、嵌合板部５ｂを有する整形基板５と、絶縁層６と、実装用パッド７と、光学素子８と、透明樹脂層９とを備えた基板部分Ｅ2 を得、上記（２）の基板部分Ｅ2 の作製工程が完了する。この基板部分Ｅ2 では、先に述べたように、実装用パッド７を基準として、嵌合板部５ｂが形成されているため、その実装用パッド７に実装された光学素子８と嵌合板部５ｂとは適正な位置関係にある。
【００４６】
つぎに、前記（３）の光導波路部分Ｗ2 と基板部分Ｅ2 との結合工程について説明する。すなわち、基板部分Ｅ2 〔図４，図７（ｄ）参照〕の光学素子８の表面（発光部または受光部）を、光導波路部分Ｗ2 （図３参照）のコア２の一端面２ａ側に向ける。その状態で、光導波路部分Ｗ2 における基板部分位置決め用の一対の平面視コ字状の突起部４の内側面に、上記基板部分Ｅ2 における位置決め板部５ａを当接させて位置決めするとともに、光導波路部分Ｗ2 における基板部分嵌合用の一対の溝部３ｂに、上記基板部分Ｅ2 における嵌合板部５ｂを嵌合させ、上記光導波路部分Ｗ2 と基板部分Ｅ2 とを一体化する〔図１および図２（ａ），（ｂ）参照〕。このとき、位置決め板部５ａの下端縁を上記アンダークラッド層１の表面に当接させる。なお、上記突起部４と位置決め板部５ａとの位置決め部分および溝部３ｂと嵌合板部５ｂとの嵌合部分の少なくとも一方を接着剤で固定してもよい。このように接着剤で固定すると、上記光導波路部分Ｗ2 と基板部分Ｅ2 との位置関係を、衝撃や振動等に対して、より安定的に維持することができる。このようにして、目的とする光センサモジュールが完成する。
【００４７】
ここで、先に述べたように、上記光導波路部分Ｗ2 では、コア２の一端面２ａと基板部分位置決め用の突起部４とが高精度な位置関係にあるとともに、コア２の一端面２ａと基板部分嵌合用の溝部３ｂとが適正な位置関係にある。また、上記光学素子８が実装された基板部分Ｅ2 では、光学素子８と上記突起部４に位置決めされる位置決め板部５ａとが適正な位置関係にあるとともに、光学素子８と上記溝部３ｂに嵌合する嵌合板部５ｂとが適正な位置関係にある。その結果、上記突起部４に上記位置決め板部５ａが位置決めされ、かつ上記溝部３ｂに上記嵌合板部５ｂを嵌合してなる上記光センサモジュールでは、コア２の一端面２ａと光学素子８とが、調芯作業を経ることなく、自動的に高精度な位置関係になる。このため、上記光センサモジュールは、コア２の端面２ａと光学素子８との間で光伝播が適正に行われるようになる。その結果、光学素子を必ずしも高出力のものとしなくてもよく、その分、光学素子８のコストを低減することができる。このように、光導波路部分Ｗ2 における基板部分位置決め用の突起部（位置決め手段）４に、上記基板部分Ｅ2 における位置決め板部（被位置決め部）５ａを位置決めするとともに、光導波路部分Ｗ2 における基板部分嵌合用の溝部（嵌合部）３ｂに、上記基板部分Ｅ2 における嵌合板部（被嵌合部）５ｂを嵌合させ、コア２の一端面２ａと光学素子８とを高精度に位置決めすることが、本発明の大きな特徴の一つである。
【００４８】
なお、この実施の形態では、光導波路部分Ｗ2 における基板部分位置決め用の突起部４を、平面視コ字状に形成したが、基板部分Ｅ2 を位置決めすることができれば、他の形状でもよく、例えば、上記平面視コ字状の一部を構成する平面視Ｌ字状でもよい。
【００４９】
また、上記実施の形態では、光導波路部分Ｗ2 と基板部分Ｅ2 との結合は、突起部４のスリット幅および溝部３ｂの溝幅が狭いため、通常、光学顕微鏡等の補助器具を使用して行われる。
【００５０】
図８は、本発明の光センサモジュールの他の実施の形態の光導波路部分の一端部を模式的に示す斜視図である。この実施の形態の光センサモジュールは、図１に示す実施の形態の光センサモジュールにおいて、基板部分Ｅ2 の位置決めがより簡単になるよう、光導波路部分Ｗ3 の一対の溝部１３，１４にテーパー部分１３ａ，１４ａが形成されているとともに、一対の突起部１５，１６のうちの一方（図示の左側）の突起部１５にテーパー部分１５ａが形成され、他方（図示の右側）の突起部１６が平行な２本の帯状体１６ａからなるガイド部に形成されている。それ以外の部分は、図１に示す実施の形態と同様であり、同様の部分には、同じ符号を付している。
【００５１】
より詳しく説明すると、一対の上記溝部１３，１４の、オーバークラッド層３の上面部分に対応する部分は、オーバークラッド層３の上面から下方にいくにつれて徐々に幅が狭く形成されたテーパー部分１３ａ，１４ａとなっている。このテーパー部分１３ａ，１４ａは、溝部１３，１４の長さ方向（オーバークラッド層３の厚み方向）の途中まで形成されており、それよりも下側部分は、図１に示す実施の形態と同様に、均一幅に形成されている。テーパー部分１３ａ，１４ａの下端の位置は、光導波路部分Ｗ3 と基板部分Ｅ2 とを結合させた際に、基板部分Ｅ2 の嵌合板部５ｂの下端縁がくる位置またはそれよりも上側に設定することが好ましい。上記テーパー部分１３ａ，１４ａの上端（オーバークラッド層３の上面）での幅は、目視でも容易に基板部分Ｅ2 の嵌合板部５ｂを嵌合できる寸法にする観点から、例えば、１．０〜３．０ｍｍの範囲内に設定される。テーパー部分１３ａ，１４ａの下端およびそれよりも下側の均一幅部分の幅は、例えば、０．２〜０．４ｍｍの範囲内に設定される。さらに、この実施の形態では、一方（図示の左側）の溝部１３よりも、他方（図示の右側）の溝部１４の方が、１．０〜３．０ｍｍ程度奥行き長さが長く形成されている。
【００５２】
また、一対の上記突起部１５，１６のうち、一方（図示の左側）の突起部１５は、平面視コ字状に形成され、そのコ字状の開口部分は、開口端から奥方にいくにつれて徐々に幅が狭く形成されたテーパー部分１５ａとなっている。このテーパー部分１５ａは、コ字状の奥方向の途中まで形成されており、それよりも奥側部分は、図１に示す実施の形態と同様に、均一幅に形成されている。上記テーパー部分１５ａの開口端の開口幅は、上記溝部１３，１４のテーパー部分１３ａ，１４ａの下端の幅（０．２〜０．４ｍｍ）よりも僅かに広く設定されることが好ましい。上記突起部１５のテーパー部分１５ａの奥端およびそれよりも奥側の均一幅部分の幅は、例えば、０．１ｍｍ程度、その長さは、例えば、１．０ｍｍ程度に設定される。平面視コ字状を形成する線幅は、０．０５〜０．２ｍｍの範囲内が好ましい。
【００５３】
他方（図示の右側）の突起部１６は、平行な２本の帯状体１６ａからなるガイド部に形成されている。これら２本の帯状体１６ａの間の幅は、上記溝部１３，１４のテーパー部分１３ａ，１４ａの下端の幅（０．２〜０．４ｍｍ）よりも僅かに広く設定されることが好ましい。上記２本の帯状体１６ａの長さは、例えば、１．０ｍｍ以上に設定されることが好ましい。
【００５４】
そして、光導波路部分Ｗ3 と基板部分Ｅ2 との結合は、つぎのようにして行われる。まず、基板部分Ｅ2 の光学素子８の表面を、光導波路部分Ｗ3 のコア２の一端面２ａ側に向け、その状態で、基板部分Ｅ2 を奥行き長さが長い方の溝部（図示の右側の溝部）１４側に偏らせるとともに、基板部分Ｅ2 の嵌合板部５ｂを、光導波路部分Ｗ3 の溝部１３，１４の上方に位置決めする。ついで、基板部分Ｅ2 を下降させ（図示の矢印Ｆ１）、基板部分Ｅ2 の嵌合板部５ｂを、溝部１３，１４のテーパー部分１３ａ，１４ａから挿入し、基板部分Ｅ2 の位置決め板部５ａの下端縁を、上記アンダークラッド層１の表面に当接させる。このとき、上記溝部１３，１４のテーパー部分１３ａ，１４ａにより、基板部分Ｅ2 は、Ｙ軸方向の位置が粗調整され、他方（図示の右側）の突起部１６の平行な２本の帯状体１６ａの間に、基板部分Ｅ2 の位置決め板部５ａの下端縁が位置決めされる。つぎに、基板部分Ｅ2 を奥行き長さが短い方の溝部１３側（図示の左側）にスライドさせ（図示の矢印Ｆ２）、基板部分Ｅ2 の位置決め板部５ａの左端縁を、一方（図示の左側）の突起部１５のテーパー部分１５ａから挿入し、その突起部１５の奥端面に当接させる。このとき、上記突起部１５のテーパー部１５ａにより、基板部分Ｅ2 は、Ｙ軸方向の位置が適正に調整され、上記奥端面への当接により、Ｘ軸方向の位置が適正に調整される。このようにして、光導波路部分Ｗ3 と基板部分Ｅ2 とを一体化し、光センサモジュールを得る。
【００５５】
この実施の形態では、溝部１３，１４および突起部１５に上記テーパー部分１３ａ，１４ａ，１５ａが形成されているため、光学顕微鏡等の補助器具を使用することなく、光導波路部分Ｗ3 と基板部分Ｅ2 との結合を行うことができる。
【００５６】
なお、この実施の形態では、溝部１３，１４のテーパー部分１３ａ，１４ａは、溝部１３，１４の長さ方向の途中まで形成されていたが、溝部１３，１４に嵌合する嵌合板部５ｂの下端縁がアンダークラッド層１の表面に当接する場合には、溝部１３，１４のテーパー部分１３ａ，１４ａは、溝部１３，１４の下端（アンダークラッド層１の表面）まで形成されていてもよい。
【００５７】
そして、上記本発明の光センサモジュールは、例えば、図９に示すように、２つのＬ字形の光センサモジュールＳ1 ，Ｓ2 に形成し、それらを対向させ四角形の枠状にして用いることにより、タッチパネルにおける指等の触れ位置の検知手段として用いることができる。すなわち、一方のＬ字形の光センサモジュールＳ1 は、角部の２箇所に、半導体レーザ等の発光素子８ａが実装された基板部分Ｅ2 が嵌合され、光Ｈが出射するコア２の他端面２ｂおよびオーバークラッド層３のレンズ面が、上記枠状の内側に向けられている。他方のＬ字形の光センサモジュールＳ2 は、角部の１箇所に、フォトダイオード等の受光素子８ｂが実装された基板部分Ｅ2 が嵌合され、光Ｈが入射するオーバークラッド層３のレンズ面およびコア２の他端面２ｂが、上記枠状の内側に向けられている。そして、上記２つのＬ字形の光センサモジュールを、タッチパネルの四角形のディスプレイＤの画面を囲むようにして、その画面周縁部の四角形に沿って設置し、一方のＬ字形の光センサモジュールＳ1 からの出射光Ｈを他方のＬ字形の光センサモジュールＳ2 で受光できるようする。これにより、上記出射光Ｈが、ディスプレイＤの画面上において、その画面と平行に格子状に走るようにすることができる。このため、指でディスプレイＤの画面に触れると、その指が出射光Ｈの一部を遮断し、その遮断された部分を、受光素子８ｂで感知することにより、上記指が触れた部分の位置を検知することができる。なお、図９では、コア２を鎖線で示しており、その鎖線の太さがコア２の太さを示しているとともに、コア２の数を略して図示している。
【００５８】
なお、上記各実施の形態では、基板部分Ｅ2 の作製に、絶縁層６を形成したが、この絶縁層６は、金属製基板のような通電性を有する基板５Ａと実装用パッド７との短絡を防止するためのものである。そのため、基板５Ａが絶縁性を有するものである場合は、絶縁層６を形成することなく、上記基板５Ａに直接、実装用パッド７を形成してもよい。
【００５９】
さらに、上記各実施の形態では、オーバークラッド層３の他端部〔図２（ｂ）では左端部〕をレンズ部３ｃに形成したが、光センサモジュールの用途によっては、レンズ部３ｃに形成することなく平面状に形成してもよい。
【００６０】
つぎに、実施例について比較例と併せて説明する。但し、本発明は、実施例に限定されるわけではない。
【実施例】
【００６１】
〔アンダークラッド層，オーバークラッド層（延長部分を含む）の形成材料〕
ビスフェノキシエタノールフルオレングリシジルエーテル（成分Ａ）３５重量部、脂環式エポキシ樹脂である３’，４’−エポキシシクロヘキシルメチル−３，４−エポキシシクロヘキサンカルボキシレート（ダイセル化学工業社製、セロキサイド２０２１Ｐ）（成分Ｂ）４０重量部、（３’，４’−エポキシシクロヘキサン）メチル−３’，４’−エポキシシクロヘキシル−カルボキシレート（ダイセル化学工業社製、セロキサイド２０８１）（成分Ｃ）２５重量部、４，４’−ビス〔ジ（β−ヒドロキシエトキシ）フェニルスルフィニオ〕フェニルスルフィド−ビス−ヘキサフルオロアンチモネートの５０重量％プロピオンカーボネート溶液（成分Ｄ）２重量部とを混合することにより、アンダークラッド層およびオーバークラッド層の形成材料を調製した。
【００６２】
〔コアおよび突起部の形成材料〕
上記成分Ａ：７０重量部、１，３，３−トリス｛４−〔２−（３−オキセタニル）〕ブトキシフェニル｝ブタン：３０重量部、上記成分Ｄ：１重量部を乳酸エチルに溶解することにより、コアおよび突起部の形成材料を調製した。
【００６３】
〔実施例１〕
〔光導波路部分の作製〕
まず、ステンレス製のシート材（厚み５０μｍ）の表面に、上記アンダークラッド層の形成材料をアプリケーターにより塗布した後、２０００ｍＪ／ｃｍ2 の紫外線（波長３６５ｎｍ）照射による露光を行うことにより、アンダークラッド層（厚み２０μｍ）を形成した〔図５（ａ）参照〕。
【００６４】
ついで、上記アンダークラッド層の表面に、上記コアおよび突起部の形成材料をアプリケーターにより塗布した後、１００℃×１５分間の乾燥処理を行い、感光性樹脂層を形成した〔図５（ｂ）参照〕。つぎに、その上方に、コアおよび突起部のパターンと同形状の開口パターンが形成された合成石英系のクロムマスク（フォトマスク）を配置した。そして、その上方から、プロキシミティ露光法にて４０００ｍＪ／ｃｍ2 の紫外線（波長３６５ｎｍ）照射による露光を行った後、８０℃×１５分間の加熱処理を行った。つぎに、γ−ブチロラクトン水溶液を用いて現像することにより、未露光部分を溶解除去した後、１２０℃×３０分間の加熱処理を行うことにより、断面四角形のコア（厚み５０μｍ、幅１５０μｍ）および一対の平面視コ字状の突起部（厚み５０μｍ、平面視コ字状のスリット部分のスリット幅０．１ｍｍ、平面視コ字状の線幅０．２ｍｍ）を形成した。一対の突起部の位置は、コアの一端面から均等に配置した。そして、一対の突起部を結ぶ線とコアの一端面との距離を０．３ｍｍとし、一対の突起部間の距離を８ｍｍとした〔図５（ｃ）参照〕。
【００６５】
つぎに、オーバークラッド層と、基板部分位置決め用の溝部（オーバークラッド層の延長部分）とを同時に型成形する石英製の成形型〔図６（ａ）参照〕を、コアの一端面を基準として適正位置にセットした〔図６（ｂ）参照〕。そして、上記オーバークラッド層およびその延長部分の形成材料を、成形空間に注入した後、その成形型を通して２０００ｍＪ／ｃｍ2 の紫外線照射による露光を行った。つづいて、１２０℃×１５分間の加熱処理を行った後、脱型し、オーバークラッド層（アンダークラッド層の表面からの厚み１ｍｍ）と、基板部分嵌合用の溝部とを得た〔図６（ｃ）参照〕。上記溝部の寸法は、奥行き長さが１．５ｍｍ、幅が０．２ｍｍ、対向する溝部の底面間の距離が１４．０ｍｍであった。
【００６６】
〔基板部分の作製〕
ステンレス製基板〔２５ｍｍ×３０ｍｍ×５０μｍ（厚み）〕の表面の一部分に、感光性ポリイミド樹脂からなる絶縁層（厚み１０μｍ）を形成した〔図７（ａ）参照〕。ついで、セミアディティブ法により、上記絶縁層の表面に、銅／ニッケル／クロム合金からなるシード層と電解銅めっき層（厚み１０μｍ）とを積層形成し、さらに金／ニッケルめっき処理（金／ニッケル＝０．２／２μｍ）を施し、光学素子実装用パッドおよびセカンドボンド用パッドならびに電気回路を形成した〔図７（ｂ）参照〕。
【００６７】
つぎに、上記光学素子実装用パッドに対して適正な位置に嵌合板部が形成されるよう、ドライフィルムレジストを利用してエッチングすることにより、ステンレス製基板部分を、位置決め板部および嵌合板部を有する整形基板に形成した。その後、上記ドライフィルムレジストを水酸化ナトリウム水溶液により剥離した〔図７（ｃ）参照〕。
【００６８】
そして、上記光学素子実装用パッドの表面に、銀ペーストを塗布した後、高精度ダイボンダ（実装装置）を用いて、上記銀ペースト上に、ワイヤーボンディングタイプの発光素子（Ｏｐｔｗｅｌｌ社製、ＶＣＳＥＬチップ  ＳＭ８５−２Ｎ００１）を実装した。ついで、キュア処理（１８０℃×１時間）し、上記銀ペーストを硬化させた。その後、φ２５μｍの金線を用いて、ワイヤーボンディングにて金製のワイヤループを張り、上記光学素子およびその周辺部を、ＬＥＤ用の透明樹脂（日東電工社製、ＮＴ樹脂）によりポッティング封止した〔図７（ｄ）参照〕。このようにして、基板部分を作製した。この基板部分の位置決め板部の寸法は、上記一対の突起部の寸法に合わせて形成し、嵌合板部の寸法は、上記一対の溝部の寸法に合わせて形成した。
【００６９】
〔光センサモジュールの製造〕
まず、ピンセットで基板部分を挟み、光学顕微鏡で見ながら、上記光導波路部分における基板部分位置決め用の一対の平面視コ字状の突起部の内側面に、上記基板部分における位置決め板部を当接させて位置決めするとともに、光導波路部分における基板部分嵌合用の一対の溝部に、上記基板部分における嵌合板部を嵌合させ、上記位置決め板部の下端縁を上記アンダークラッド層の表面に当接させた。その後、その位置決め部および嵌合部を接着剤で固定した。このようにして、光センサモジュールを製造した〔図１および図２（ａ），（ｂ）参照〕。
【００７０】
〔実施例２〕
上記実施例１において、一対の溝部の、オーバークラッド層の上面部分に対応する部分を、テーパー部分に形成した（図８参照）。その溝部の寸法を図１０（ａ），（ｂ）に示した。図１０（ａ），（ｂ）では、奥行き長さが長い方（奥行き長さ５．０ｍｍ）の溝部１４を示しており、奥行き長さが短い方の溝部１３（図８参照）は、奥行き長さを３．０ｍｍとし、それ以外の寸法は、奥行き長さが長い方の溝部１４と同様とした。また、図１０（ｃ）に示すように、一対の突起部１５，１６のうち、奥行き長さが短い方の１３側にある突起部（図示の左側）１５を平面視コ字状に形成するとともに、そのコ字状の開口部分をテーパー部分１５ａに形成し、奥行き長さが長い溝部１４側にある突起部（図示の右側）１６を平行な２本の帯状体１６ａからなるガイド部に形成した。なお、図１０（ｃ）には、突起部１５，１６の寸法も示している。
【００７１】
〔光センサモジュールの製造〕
まず、指先で基板部分を挟み、基板部分を奥行き長さが長い方の溝部１４側に偏らせるとともに、基板部分の嵌合板部を、光導波路部分の溝部１３，１４の上方に位置決めした（図８参照）。ついで、基板部分を下降させ、基板部分の嵌合板部を、溝部１３，１４のテーパー部分１３ａ，１４ａから挿入し、基板部分の位置決め板部の下端縁を、上記アンダークラッド層の表面に当接させた。このとき、上記溝部１３，１４のテーパー部分１３ａ，１４ａにより、基板部分は、Ｙ軸方向の位置が粗調整され、他方（図示の右側）の突起部１６の平行な２本の帯状体１６ａの間に、基板部分の位置決め板部の下端縁が位置決めされた。つぎに、基板部分を奥行き長さが短い方の溝部１３側にスライドさせ、基板部分の位置決め板部の左端縁を、一方（図示の左側）の突起部１５のテーパー部分１５ａから挿入し、その突起部１５の奥端面に当接させた。このとき、上記突起部１５のテーパー部１５ａにより、基板部分は、Ｙ軸方向の位置が適正に調整され、上記奥端面への当接により、Ｘ軸方向の位置が適正に調整された。その後、その位置決め部および嵌合部を接着剤で固定した。このようにして、光センサモジュールを製造した（図８参照）。なお、この光導波路部分と基板部分との結合には、光学顕微鏡を使用しなかった。
【００７２】
〔比較例〕
上記実施例１において、光導波路部分における基板部分位置決め用の一対の平面視コ字状の突起部を形成しないものとした。その代わり、オーバークラッド層および基板部分嵌合用の溝部を型成形する際に用いる成形型を、実施例１よりも高水準の加工精度で作製した。また、基板部分においては、位置決め板部を形成しないものとした。そして、光導波路部分における基板部分嵌合用の一対の溝部に、上記基板部分における嵌合板部を嵌合させ、上記嵌合板部の下端縁を上記アンダークラッド層の表面に当接させた。その後、その嵌合部を接着剤で固定した。このようにして、光センサモジュールを製造した。
【００７３】
〔光結合損失〕
上記実施例１，２および比較例の光センサモジュールの発光素子に電流を流し、発光素子から光を出射させ、光センサモジュールの他端部から出射された光の強度を測定し、光結合損失を算出した。その結果、光結合損失は、実施例１，２が０．５ｄＢ、比較例が３．０ｄＢであった。
【００７４】
この結果から、上記実施例１，２および比較例の製造方法では、いずれも、光導波路部分のコアと基板部分の発光素子との調芯作業をしなくても、得られた光センサモジュールは、光伝播することがわかる。しかしながら、実施例１，２の光センサモジュールの方が、光結合損失が小さく、優れていることがわかる。
【００７５】
〔位置決めに要する時間〕
上記実施例１および比較例では、光導波路部分と基板部分との結合に、２０秒を要し、上記実施例２では、５秒を要した。
【００７６】
この結果から、上記実施例２では、溝部および突起部に上記テーパー部分が形成されているため、光学顕微鏡等の補助器具を使用することなく、しかも、速く、光導波路部分と基板部分とを結合できることがわかる。すなわち、生産性に優れている。
【００７７】
また、上記実施例１において、基板部分位置決め用の突起部の形状を、平面視コ字状に代えて、その平面視コ字状の一部を構成する平面視Ｌ字状に形成した場合も、上記と同様の結果を得た。
【産業上の利用可能性】
【００７８】
本発明の光センサモジュールは、タッチパネルにおける指等の触れ位置の検知手段、または音声や画像等のデジタル信号を高速で伝送，処理する情報通信機器，信号処理装置等に用いることができる。
【符号の説明】
【００７９】
Ｗ2   光導波路部分
Ｅ2   基板部分
２  コア
２ａ  一端面
３ｂ  溝部
４  突起部
５ａ  位置決め板部
５ｂ  嵌合板部
８  光学素子
【図１】
2011102955.tif 000003
【図２】
2011102955.tif 000004
【図３】
2011102955.tif 000005
【図４】
2011102955.tif 000006
【図５】
2011102955.tif 000007
【図６】
2011102955.tif 000008
【図７】
2011102955.tif 000009
【図８】
2011102955.tif 000010
【図９】
2011102955.tif 000011
【図１０】
2011102955.tif 000012
【図１１】
2011102955.tif 000013
【図１２】
2011102955.tif 000014